(57)【特許請求の範囲】
【請求項１】
１次部分と２次部分とを含むトランスであって、前記２次部分は、
給電信号を介して、スイッチング回路と負荷との並列の組合せに電力を提供するための第１のタップ及び第２のタップと、
前記スイッチング回路と、
前記スイッチング回路が高いインピーダンスモードにあるときには、前記給電信号を介して電力が前記負荷に提供され、前記スイッチング回路が低いインピーダンスモードにあるときには、前記負荷に、より少ない電力が提供されるか、又は全く電力が提供されないように前記スイッチング回路を制御する受信器にデータ信号を提供するための第３のタップ及び第４のタップと、
を含み、前記データ信号は、前記給電信号と異なり、前記第３のタップ及び前記第４のタップのうちの少なくとも一方は、前記第１のタップ及び前記第２のタップとは別個である、トランス。
【請求項２】
前記１次部分は１つの１次巻線を含み、前記２次部分は１つの２次巻線を含み、前記第１のタップ、前記第２のタップ、前記第３のタップ、及び前記第４のタップは、前記２次巻線のタップである、請求項１に記載のトランス。
【請求項３】
前記第１のタップと前記第３のタップとは同一のタップであり、前記第２のタップと前記第４のタップとは別個のタップである、請求項１に記載のトランス。
【請求項４】
前記第４のタップは、前記第１のタップと前記第２のタップとの間に位置する、請求項３に記載のトランス。
【請求項５】
前記第１のタップ及び前記第２のタップは外側タップであり、前記第４のタップはセンタータップである、請求項４に記載のトランス。
【請求項６】
前記１次部分と前記２次部分とは、ガルバニック絶縁されている、請求項１に記載のトランス。
【請求項７】
ケーブルと負荷とをインターフェースするためのインターフェースであって、当該インターフェースは請求項１に記載のトランスを含み、前記１次部分は前記ケーブルに結合される、インターフェース。
【請求項８】
前記第１のタップ及び前記第２のタップのうちの少なくとも一方に結合され、また、前記負荷に結合される、前記スイッチング回路を更に含む、請求項７に記載のインターフェース。
【請求項９】
前記第３のタップ及び前記第４のタップに結合され、前記スイッチング回路を制御する、前記受信器を更に含む、請求項７に記載のインターフェース。
【請求項１０】
前記受信器は、第１のキャパシタを介して前記第３のタップに結合され、第２のキャパシタを介して前記第４のタップに結合される、請求項９に記載のインターフェース。
【請求項１１】
前記１次部分は１つの１次巻線を含み、前記２次部分は１つの２次巻線を含み、前記第１のタップ、前記第２のタップ、前記第３のタップ、及び前記第４のタップは、前記２次巻線のタップである、請求項７に記載のインターフェース。
【請求項１２】
請求項１に記載のトランスを含むか、又は請求項７に記載のインターフェースを含む、負荷。
【請求項１３】
発光ダイオードを更に含む、請求項１２に記載の負荷。
【請求項１４】
請求項７に記載のインターフェースを含み、前記ケーブルを更に含む、システム。
【請求項１５】
前記ケーブルに結合されるドライバを更に含む、請求項１４に記載のシステム。
【発明の詳細な説明】
【技術分野】
【０００１】
本発明は、１次部分と２次部分とを含むトランスに関する。本発明は更に、トランスを含むインターフェース、負荷、及びシステムに関する。斯様な負荷の例は、ランプである。斯様なシステムの例は、ケーブルに結合されるトランス、及びケーブルに結合されるインターフェースである。
【背景技術】
【０００２】
欧州特許第０  ６３７  ８７７Ｂ１号は、電力及びデータの非接触伝送のための装置を開示する。これは、２つの電力コイルを通じて、及び２つのデータコイルを通じて、比較的複雑な態様で行われる。
【発明の概要】
【発明が解決しようとする課題】
【０００３】
本発明の目的は、給電信号及びデータ信号を提供するためのトランスを提供することである。本発明の更なる目的は、インターフェース、負荷、及びシステムを提供することである。
【課題を解決するための手段】
【０００４】
第１の態様によると、１次部分と２次部分とを含むトランスであって、２次部分は、
‐スイッチング回路と負荷との組合せに給電信号を提供するための第１のタップ及び第２のタップと、
‐受信器にデータ信号を提供するための第３のタップ及び第４のタップと、
を含み、第３のタップ及び第４のタップのうちの少なくとも一方は、第１のタップ及び第２のタップとは別個である、トランスが提供される。
【０００５】
トランスは、１次部分と２次部分とを含む。２次部分は、スイッチング回路と負荷との組合せに給電信号を提供するための第１のタップ及び第２のタップを含む。２次部分は、受信器にデータ信号を提供するための第３のタップ及び第４のタップを更に含む。第３のタップ及び第４のタップのうちの少なくとも一方は、第１のタップ及び第２のタップとは別個である。
【０００６】
２つの電力コイルを通じ、及び２つのデータコイルを通じた、比較的複雑な従来技術の電力及びデータの非接触伝送に比べて、トランスは比較的単純な電力及びデータの伝送を導入し、これは大きな改善である。
【０００７】
更なる利点は、第３のタップ及び第４のタップのうちの少なくとも一方が第１のタップ及び第２のタップとは別個である限り、例えば第１のタップ及び第２のタップが短絡された場合でさえも、データ信号は良好に利用可能であることである。
【０００８】
スイッチング回路と負荷との第１の組合せは、第１のタップ及び第２のタップに結合されるスイッチと負荷との並列の組合せである。スイッチング回路と負荷との第２の組合せは、スイッチと、整流ブリッジと、負荷とを含み、スイッチの電極は第１のタップ及び第２のタップに結合され、また、整流ブリッジの入力電極に結合され、整流ブリッジの出力電極は負荷に結合されている。スイッチング回路と負荷との第３の組合せは、整流ブリッジと、スイッチと、ダイオードと、負荷とを含み、整流ブリッジの入力電極は第１のタップ及び第２のタップに結合され、整流ブリッジの出力電極はスイッチの第１の電極及び第２の電極に結合され、スイッチの第１の電極はダイオードを介して負荷の第１の電極に結合され、スイッチの第２の電極は負荷の第２の電極に結合されている。スイッチング回路と負荷との第４の組合せは、第１のスイッチ及び第２のスイッチと、第１のダイオード及び第２のダイオードと、負荷とを含み、第１のダイオード及び第１のスイッチの第１の電極は第１のタップに結合され、第２のダイオード及び第２のスイッチの第１の電極は第２のタップに結合され、第１のダイオード及び第２のダイオードの第２の電極は負荷の第１の電極に結合され、第１のスイッチ及び第２のスイッチの第２の電極は負荷の第２の電極に結合されている。スイッチング回路と負荷との第５の組合せは、第１のスイッチ及び第２のスイッチと、第１のダイオード及び第２のダイオードと、負荷とを含み、第１のダイオード及び第２のダイオードの第１の電極は第１のタップに結合され、第１のスイッチ及び第２のスイッチの第１の電極は第２のタップに結合され、第１のダイオード及び第１のスイッチの第２の電極は負荷の第１の電極に結合され、第２のダイオード及び第２のスイッチの第２の電極は負荷の第２の電極に結合されている。他の組合せも除外されるものではない。例えば負荷と並列に結合される平滑化目的のためのキャパシタ等といった、１以上のスイッチ、１以上のダイオード、及び／又は負荷と直列に又は並列に結合される更なる要素が存在してもよい。
【０００９】
トランスの実施形態は、１つの１次巻線を含む１次部分、１つの２次巻線を含む２次部分、２次巻線のタップである第１のタップ、第２のタップ、第３のタップ、及び第４のタップによって規定される。好ましくは、１次部分は１つ（だけ）の１次巻線を含み、２次部分は１つ（だけ）の２次巻線を含む。第１のタップ、第２のタップ、第３のタップ、及び第４のタップは、２次巻線のタップである。
【００１０】
トランスの実施形態は、同一のタップである第１のタップ及び第３のタップ、別個のタップである第２のタップ及び第４のタップによって規定される。このトランスは、２次部分に３つ（だけ）の別個のタップを有する。
【００１１】
トランスの実施形態は、第１のタップと第２のタップとの間に位置する第４のタップによって規定される。この第４のタップは、第１のタップと第２のタップとの間のどこかに設置される中間タップである。
【００１２】
トランスの実施形態は、外側タップである第１のタップ及び第２のタップと、センタータップである第４のタップとによって規定される。これら第１のタップ及び第２のタップは外側タップであり、この第４のタップは、当該外側タップの中央に設置されるセンタータップである。
【００１３】
トランスの実施形態は、ガルバニック絶縁されている１次部分と２次部分とによって規定される。このトランスは、ガルバニック絶縁を提供する。
【００１４】
第２の態様によると、ケーブルと負荷とをインターフェースするためのインターフェースであって、当該インターフェースは上述のトランスを含み、１次部分はケーブルに結合される、インターフェースが提供される。
【００１５】
インターフェースの実施形態は、第１のタップ及び第２のタップのうちの少なくとも一方に結合され、また、負荷に結合されるスイッチング回路を更に含むことによって規定される。スイッチング回路は、第１のタップ及び第２のタップのうちの少なくとも一方に結合され、また、負荷に結合され、これにより、第１乃至第５の組合せを通じて上述された整流ブリッジ、１以上のダイオード、及びキャパシタも存在し得る。
【００１６】
インターフェースの実施形態は、第３のタップ及び第４のタップに結合され、スイッチング回路を制御する受信器を更に含むことによって規定される。第３のタップ及び第４のタップのうちの少なくとも一方が第１のタップ及び第２のタップとは別個である限り、データ信号は良好に利用可能であり、また、受信器はスイッチング回路のモードとは無関係にスイッチング回路を制御し得る。
【００１７】
インターフェースの実施形態は、第１のキャパシタを介して第３のタップに結合され、第２のキャパシタを介して第４のタップに結合される受信器によって規定される。第１のキャパシタ及び第２のキャパシタは、（例えばそれぞれ１ｋＨｚ、１０ｋＨｚ、又は１００ｋＨｚといった）比較的低周波数の給電信号を遮断し、（例えばそれぞれ１０ｋＨｚ、１００ｋＨｚ、又は１ＭＨｚといった）比較的高周波数のデータ信号を通過させる。
【００１８】
インターフェースの実施形態は、１つの１次巻線を含む１次部分、１つの２次巻線を含む２次部分、２次巻線のタップである第１のタップ、第２のタップ、第３のタップ、及び第４のタップによって規定される。
【００１９】
インターフェースの実施形態は、同一のタップである第１のタップ及び第３のタップ、別個のタップである第２のタップ及び第４のタップによって規定される。
【００２０】
第３の態様によると、上述のトランスを含むか、又は上述のインターフェースを含む負荷が提供される。
【００２１】
負荷の実施形態は、発光ダイオードを更に含むことによって規定される。発光ダイオードは、任意の種類の及び任意の組合せでの１以上の発光ダイオードを含む。
【００２２】
第４の態様によると、上述のインターフェースを含み、ケーブルを更に含むシステムが提供される。
【００２３】
システムの実施形態は、ケーブルに結合されるドライバを更に含むことによって規定される。
【００２４】
着眼点は、給電信号及びデータ信号が、トランスを介して提供されることである。基本的な着想は、第１のタップ及び第２のタップがスイッチング回路と負荷との組合せに給電信号を提供し得ること、並びに第３のタップ及び第４のタップが受信器にデータ信号を提供し得ることであり、これにより第３のタップ及び第４のタップのうちの少なくとも一方は、第１のタップ及び第２のタップとは別個でなければならない。
【００２５】
トランスを提供するという課題が解決された。更なる利点は、データ信号がより良好に利用可能であること、及び受信器はスイッチング回路のモードとは無関係にスイッチング回路を制御し得ることである。
【００２６】
本発明のこれらの態様及び他の態様は、以下に説明される実施形態から明らかとなり、これらの実施形態を参照して解明されるであろう。
【図面の簡単な説明】
【００２７】
【図１】従来技術のシステムを示す。
【図２】従来技術のトランスと、スイッチング回路と負荷との第１の組合せとを示す。
【図３】トランスの実施形態と、スイッチング回路と負荷との第１の組合せとを示す。
【図４】インターフェースの実施形態を示す。
【図５】システムを示す。
【図６】従来技術のトランスと、スイッチング回路と負荷との第２の組合せとを示す。
【図７】従来技術のトランスと、スイッチング回路と負荷との第３の組合せとを示す。
【図８】従来技術のトランスと、スイッチング回路と負荷との第４の組合せとを示す。
【図９】従来技術のトランスと、スイッチング回路と負荷との第５の組合せとを示す。
【発明を実施するための形態】
【００２８】
図１では、従来技術のシステムが示される。従来技術のシステムは、ケーブル２４の導体の第１の端に結合されるドライバ２５を含む。例えばトランス１００の１次巻線等といった１次部分はケーブル２４に結合され、例えばトランス１００の２次巻線等といった２次部分は、例えば発光ダイオード回路を含む負荷２１に結合される。例えばトランス１００’の１次巻線等といった１次部分はケーブル２４に結合され、例えばトランス１００’の２次巻線等といった２次部分は、例えば発光ダイオード回路を含む負荷２１’に結合される。１次部分は各々、ケーブル２４の導体のうちの一方を別個の位置で遮断し、したがって直列に結合される。ケーブル２４の導体の第２の端同士は相互接続される。他の結合及び他の接続も除外されるものではない。最小限の状況では、１つのドライバ２５と、１つのケーブル２４と、１つのトランス１００と、１つの負荷２１とがある。拡張された状況では、更なるドライバ、ドライバ毎に２以上のケーブル、ケーブル毎に２以上のトランス、及び／又はトランス毎に２以上の負荷がある。
【００２９】
図２では、従来技術のトランス１００と、スイッチング回路２２と負荷２１との第１の組合せとが示される。トランス１００は、１次部分と２次部分とを含む。１次部分は例えば１つの１次巻線１５を含み、２次部分は例えば１つの２次巻線１６を含む。２次部分は、スイッチング回路２２と負荷２１との組合せに給電信号を提供するための第１のタップ１１及び第２のタップ１２を含む。１次部分と２次部分とは、ガルバニック絶縁を提供する。スイッチング回路２２は、ここでは１つのスイッチを含む。
【００３０】
１次巻線１５、２次巻線１６、及びこれらの誘電結合は理想的ではないという事実のために、１次巻線１５と並列に結合される仮想誘導３１と、２次巻線１６の一方側と直列に結合される、仮想誘導３２と仮想抵抗３５との直列の組合せとが更に示される。
【００３１】
比較的高いインピーダンスモードにあるスイッチング回路２２に対して、第１のタップ１１及び第２のタップ１２を介して提供される例えば給電電圧又は給電電流等といった給電信号を介して電力が負荷２１に提供されるように、スイッチング回路２２は負荷２１と並列に結合される。比較的低いインピーダンスモードにあるスイッチング回路２２に対しては、負荷２１に、より少ない電力が提供されるか、又は全く電力が提供されない。第１のタップ１１及び第２のタップ１２を介して提供される例えばデータ電圧等といったデータ信号は、スイッチング回路２２が比較的高いインピーダンスモードにある場合に限り利用可能である。この従来技術の状況では、スイッチング回路２２が比較的低いインピーダンスモードになるとすぐに、第１のタップ１１及び第２のタップ１２が短絡されているという事実のために、データ信号はもはや利用可能でない。
【００３２】
図３では、トランス１の実施形態と、スイッチング回路２２と負荷２１との第１の組合せとが示される。トランス１は、１次部分と２次部分とを含む。１次部分は例えば１つの１次巻線１５を含み、２次部分は例えば１つの２次巻線１６を含む。２次部分は、スイッチング回路２２と負荷２１との組合せに給電信号を提供するための第１のタップ１１及び第２のタップ１２を含む。２次部分は、ここでは示されていないが図４を通して更に説明される受信器２３にデータ信号を提供するための、第３のタップ１３及び第４のタップ１４を更に含む。
【００３３】
１次巻線１５、２次巻線１６、及びこれらの誘電結合は理想的ではないという事実のために、１次巻線１５と並列に結合される仮想誘導３１と、２次巻線１６の第１の側と直列に結合される、仮想誘導３３と仮想抵抗３６との第１の直列の組合せと、２次巻線１６の第２の側と直列に結合される、仮想誘導３４と仮想抵抗３７との第２の直列の組合せとが示される。
【００３４】
第１のタップ１１、第２のタップ１２、第３のタップ１３、及び第４のタップ１４は、２次巻線１６のタップである。第３のタップ１３及び第４のタップ１４のうちの少なくとも一方は、第１のタップ１１及び第２のタップ１２とは別個である。結果として、第３のタップ１３及び第４のタップ１４を介して提供される例えばデータ電圧等といったデータ信号はこのとき、増大された量の時間の間、利用可能であり、また、スイッチング回路２２のモードとは無関係に利用可能である等、より良好に利用可能である。
【００３５】
例えば第１のタップ１１と第３のタップ１３とは同一のタップであり、例えば第２のタップ１２と第４のタップ１４とは別個のタップである。例えば、第４のタップ１４は、第１のタップ１１と第２のタップ１２との間に位置する。第１のタップ１１及び第２のタップ１２は外側タップであり、第４のタップ１４はセンタータップである。この場合、仮想誘導３３、３４の値は同一であり、仮想誘導３２の値の半分に等しい。同様に、このとき仮想抵抗３６、３７の値は同一であり、仮想抵抗３５の値の半分に等しい。
【００３６】
代替的に、第１のタップ１１及び第２のタップ１２が外側タップであり、第３のタップ１３及び第４のタップ１４が（別個の）中間タップであってもよい。代替的に、第１のタップ１１及び第４のタップ１４が外側タップであり、第２のタップ１２が中間タップ等であってもよい。代替的に、第１のタップ１１及び第４のタップ１４が外側タップであり、第２のタップ１２及び第３のタップ１３が（別個の）中間タップ等であってもよい。代替的に、第２のタップ１２及び第４のタップ１４が外側タップであり、第１のタップ１１が中間タップ等であってもよい。代替的に、第２のタップ１２及び第４のタップ１４が外側タップであり、第１のタップ１１及び第３のタップ１３が（別個の）中間タップ等であってもよい。通常、第１のタップ１１乃至第４のタップ１４のうちの各々は、第３のタップ１３及び第４のタップ１４のうちの少なくとも一方（の位置）が第１のタップ１１及び第２のタップ１２（の位置）とは別個である限り、２次部分の任意の位置を有してよい。
【００３７】
図４では、インターフェース２の実施形態が示される。インターフェース２は、図３に示され図３を通じて説明されたトランス１を含む。インターフェース２は、スイッチング回路２２を更に含み、また、スイッチング回路２２を制御するための受信器２３を更に含む。受信器２３の第１の入力は、場合によっては第１のキャパシタを介して、例えば第１のタップ１１等といった第３のタップ１３に結合され、受信器２３の第２の入力は、場合によっては第２のキャパシタを介して、第４のタップ１４に結合される。受信器２３は例えば、第３のタップ１３及び第４のタップ１４に入力が結合される増幅器であって、スイッチング回路２２を制御するための制御ユニットの入力に出力が結合される当該増幅器を含む。この制御は例えば、ランプの形式の負荷２１に提供される電力の制御を含むが、他の種類の制御及び他の種類の負荷を除外していない。受信器２３と負荷２１との間に、例えばランプの形式のときの負荷２１の色の制御及び強度の制御等といった、２以上の他の種類の制御のための２以上の結合（示されていない）が存在してもよい。
【００３８】
図５では、システムが示される。このシステムは、ケーブル２４の導体の第１の端に結合されるドライバ２５を含む。負荷２１がケーブル２４に結合され、また、負荷２１’がケーブル２４に結合される。負荷２１、２１’は各々、ケーブル２４の導体のうちの一方を別個の位置で遮断し、したがって直列に結合される。ケーブル２４の導体の第２の端同士は相互接続される。他の結合及び他の接続も除外されるものではない。負荷２１、２１’は各々トランス１（ここでは示されていない）を含み、このとき各々は、スイッチング回路２２（ここでは示されていない）及び／又は受信器２３（ここでは示されていない）を更に含む。代替的に、負荷２１、２１’は各々、インターフェース２（ここでは示されていない）を含み、このとき各々は、インターフェース２内に未だ存在しない場合には、スイッチング回路２２（ここでは示されていない）及び／又は受信器２３（ここでは示されていない）を更に含む。最小限の状況では、１つのドライバ２５と、１つのケーブル２４と、１つの負荷２１とがある。拡張された状況では、更なるドライバ、ドライバ毎に２以上のケーブル、及び／又はケーブル毎に２以上の負荷がある。
【００３９】
図６では、従来技術のトランス１００と、スイッチング回路２２と負荷２１との第２の組合せとが示される。第２の組合せは、スイッチ２２と、整流ブリッジ４１と、負荷２１とを含み、スイッチ２２の電極は、第１のタップ１１及び第２のタップ１２に結合され、また、整流ブリッジ４１の入力電極に結合され、整流ブリッジ４１の出力電極は負荷２１に結合されている。負荷２１と並列に、キャパシタ５１が平滑化目的のために存在する。
【００４０】
図７では、従来技術のトランス１００と、スイッチ２２と負荷２１との第３の組合せとが示される。第３の組合せは、整流ブリッジ４１と、スイッチ２２と、ダイオード４２と、負荷２１とを含み、整流ブリッジ４１の入力電極は第１のタップ１１及び第２のタップ１２に結合され、整流ブリッジ４１の出力電極はスイッチ２２の第１の電極及び第２の電極に結合され、スイッチ２２の第１の電極はダイオード４２を介して負荷２１の第１の電極に結合され、スイッチ２２の第２の電極は負荷２１の第２の電極に結合されている。負荷２１と並列に、キャパシタ５１が平滑化目的のために存在する。ダイオード４２は、スイッチ２２を介したキャパシタ５１の望ましくない放電を防止する。
【００４１】
図８では、従来技術のトランス１００と、スイッチング回路２２、２６と負荷２１との第４の組合せとを示す。第４の組合せは、第１のスイッチ２２及び第２のスイッチ２６と、第１のダイオード４３及び第２のダイオード４４と、負荷２１とを含み、第１のダイオード４３及び第１のスイッチ２２の第１の電極は第１のタップ１１に結合され、第２のダイオード４４及び第２のスイッチ２６の第１の電極は第２のタップ１２に結合され、第１のダイオード４３及び第２のダイオード４４の第２の電極は負荷２１の第１の電極に結合され、第１のスイッチ２２及び第２のスイッチ２６の第２の電極は負荷２１の第２の電極に結合されている。負荷２１と並列に、キャパシタ５１が平滑化目的のために存在する。整流ブリッジ４１を有する第２の組合せ及び第３の組合せに比べて、第４の組合せは、低減された損失を示す。スイッチング回路２２、２６はここでは、２つのスイッチ２２、２６を含む。
【００４２】
図９では、従来技術のトランス１００と、スイッチング回路２２、２６と負荷２１との第５の組合せとが示される。第５の組合せは、第１のスイッチ２２及び第２のスイッチ２６と、第１のダイオード４３及び第２のダイオード４４と、負荷２１とを含み、第１のダイオード４３及び第２のダイオード４４の第１の電極は第１のタップ１１に結合され、第１のスイッチ２２及び第２のスイッチ２６の第１の電極は第２のタップ１２に結合され、第１のダイオード４３及び第１のスイッチ２２の第２の電極は負荷２１の第１の電極に結合され、第２のダイオード４４及び第２のスイッチ２６の第２の電極は負荷２１の第２の電極に結合されている。負荷２１と並列に、キャパシタ５１が平滑化目的のために存在する。第５の組合せでは、第１のスイッチ２２及び第２のスイッチ２６を介したキャパシタ５１の望ましくない放電を防止するために、第１のスイッチ２２及び第２のスイッチ２６は逆位相の態様で動作される必要がある。スイッチング回路２２、２６はここでは、２つのスイッチ２２、２６を含む。
【００４３】
第２乃至第５の組合せの各々は、図３及び図４へと導入され得る。別々の制御を必要とする２つのスイッチ２２、２６が存在する場合、受信器２３は追加の出力等を与えられる必要がある。他の組合せも除外されるものではない。また、１以上のスイッチ２２、２６、整流ブリッジ４１、１以上のダイオード４２乃至４４、及び／又は負荷２１等と直列に又は並列に結合される更なる要素が存在してもよい。キャパシタ５１はオプションである。３以上のスイッチ２２、２６も可能である。第１の要素及び第２の要素は、間に第３の要素を有さずに直接結合されるか、又は第３の要素を介して間接的に結合されてもよい。例えばＤＣ成分を遮断するための１以上のキャパシタ等といった更なる要素が、トランス１内に、及びインターフェース２内に存在してもよい。
【００４４】
要約すると、トランス１は１次部分と２次部分とを含み、２次部分は、スイッチング回路２２、２６と負荷２１との組合せに給電信号を提供するための第１のタップ１１及び第２のタップ１２と、受信器２３にデータ信号を提供するための第３のタップ１３及び第４のタップ１４とを有する。第３のタップ１３及び第４のタップ１４のうちの少なくとも一方は、第１のタップ１１及び第２のタップ１２とは別個である。この場合、データ信号は、第１のタップ１１及び第２のタップ１２が短絡された場合でさえも良好に利用可能である。１次部分は１次巻線１５を含み、２次部分は２次巻線１６を含む。第１のタップ１１乃至第４のタップ１４は、２次巻線１６のタップである。第１のタップ１１と第３のタップ１３とは同一のタップであり、第２のタップ１２と第４のタップ１４とは別個のタップである。第１のタップ１１及び第２のタップ１２は外側タップであり、第４のタップ１４はセンタータップである。
【００４５】
本発明は、図面及び前述の説明において詳細に例示され説明されたが、斯様な例示及び説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成されることができる。請求項で、「含む」の文言は他の要素又はステップを除外するものではなく、不定冠詞「ａ」又は「ａｎ」は複数を除外するものではない。特定の手段が、相互に異なる従属請求項に記載されているという単なる事実は、これらの手段の組合せを有利に使用できないことを意味するわけではない。請求項のいかなる参照符号も、範囲を限定するものとして解釈されるべきではない。
【図１】
0006667444.tif 000002
【図２】
0006667444.tif 000003
【図３】
0006667444.tif 000004
【図４】
0006667444.tif 000005
【図５】
0006667444.tif 000006
【図６】
0006667444.tif 000007
【図７】
0006667444.tif 000008
【図８】
0006667444.tif 000009
【図９】
0006667444.tif 000010